(57)【要約】【課題】  ジェット用洗浄水タンクの断面積に影響を受けずタンク内の止水位が安定し、便器の洗浄に必要な洗浄水量を安定化することができる。【解決手段】  ジェット孔に洗浄水を供給するジェット用洗浄水タンクと、前記ジェット用洗浄水タンクの内側上方に配置されリム部に洗浄水を供給するリム用洗浄水タンクと、前記リム用洗浄水タンクの側面に配設されリム用洗浄水タンクのオーバーフロー水を受ける洗浄水サブタンクと、前記ジェット用洗浄水タンク内に配設したパイロット式ダイヤフラム弁を有するボールタップと、前記ボールタップから前記リム用洗浄水タンクに給水するための給水管路と、を備えた便器用洗浄水タンク装置であって、前記洗浄水サブタンクの下方位置で前記ジェット用洗浄水タンクの初期水位とほぼ同じ高さ位置に小穴を設け、前記リム用洗浄水タンクのオーバーフロー水と、前記小穴より流出した洗浄水を前記ジェット用洗浄水タンクに給水する。【選択図】  図１
2006274540.tif 000002
【特許請求の範囲】
【請求項１】
ボウル部の底部に配設したジェット孔に洗浄水を供給するジェット用洗浄水タンクと、
前記ジェット用洗浄水タンクの内側上方に配置されリム部に洗浄水を供給するリム用洗浄水タンクと、
前記リム用洗浄水タンクの側面に配設されリム用洗浄水タンクのオーバーフロー水を受ける洗浄水サブタンクと、
前記ジェット用洗浄水タンク内に配設したパイロット式ダイヤフラム弁を有するボールタップと、
前記ボールタップから前記リム用洗浄水タンクに給水するための給水管路と、を備えた便器用洗浄水タンク装置であって、
前記洗浄水サブタンクの下方位置で前記ジェット用洗浄水タンクの初期水位とほぼ同じ高さ位置に小穴を設け、
前記リム用洗浄水タンクからオーバーフローした洗浄水と、前記小穴より流出した洗浄水を前記ジェット用洗浄水タンクに給水することを特徴とする便器用洗浄水タンク装置。
【請求項２】
ボウル部の底部に配設したジェット孔に洗浄水を供給するジェット用洗浄水タンクと、
前記ジェット用洗浄水タンクの内側上方に配置されリム部に供給するリム用洗浄水タンクと、
前記リム用洗浄水タンクの上部に配設した洗浄水サブタンクと、
前記ジェット用洗浄水タンク内に配設したパイロット式ダイヤフラム弁を有するボールタップと、
前記ボールタップから前記洗浄水サブタンクに給水するための給水管路と、を備えた便器用洗浄水タンク装置であって、
前記ボールタップのフロートに排水穴を穿設した貯水部を設け、
前記洗浄水サブタンクから前記リム用洗浄水タンクと前記貯水部に給水し、前記リム用洗浄水タンクからオーバーフローした洗浄水と、前記排水穴から流出する洗浄水を前記ジェット用洗浄水タンクに給水することを特徴とする便器用洗浄水タンク装置。
【発明の詳細な説明】
【技術分野】
【０００１】
本発明は、リム部に給水するリム用洗浄水タンクと、ボール底部のジェット孔に給水するジェット用洗浄タンクと備えた便器用洗浄水タンク装置に関する。
【背景技術】
【０００２】
従来、リム部に給水するリム用洗浄水タンクと、ボール底部の吐水孔に給水するボール部底部吐水用洗浄水タンクと備えた水洗便器の洗浄水タンクを開示したものとして特許文献１に示すものがある。この特許文献１では、リム部に給水するリム用洗浄水タンクをボール部底部吐水用洗浄水タンクの上部に配置する蓋体に配設し、ボール部底部吐水用洗浄水タンクの側面上部で外部給水管にボールタップを接続している。また、一般的にボールタップの給水バルブとしてパイロット式ダイヤフラム開閉弁を持いられフロートの上下動作によりパイロット穴を開閉し給水、止水を行なっている。
一方、近年トイレ空間とデザイン性による水洗便器のローシルエット形状（洗浄水タンク高さが低い形状）、洗浄水の節水が求められている。
【０００３】
タンク内の洗浄水量を確保しつつ特許文献１のような水洗便器を低くする場合、タンクの断面積が約３倍程度広くなり、ボール部底部吐水用洗浄タンク内の初期水位と排水後の排水止水位の差が小さくなってくる。
【０００４】
タンクの断面積が広くなった場合、ボール部底部吐水用洗浄水タンクの水位上昇の割合が小さく、ボールタップのパイロット式ダイヤフラム開閉弁のダイヤフラムが閉止してもパイロット穴が完全に閉止しない。パイロット穴が完全に閉止するまでにはパイロット穴からの漏水によるタンクの水位上昇が数時間かかって行われることになる。そのため連続して洗浄操作を行なった場合、タンク内の水位が規定の初期水位に達しないまま便器に給水するため十分な洗浄水が得られず洗浄性能が満たすことができない。また、逆にタンクの初期水位の設定を上げると次回洗浄までの時間があくと、規定の洗浄水より増えるため節水できない問題がある。
【０００５】
【特許文献１】実開平２−１２９４７６公報
【発明の開示】
【発明が解決しようとする課題】
【０００６】
そこで、本発明は、リム部に給水するリム用洗浄水タンクと、ボール底部のジェット孔に給水するジェット用洗浄水タンクと備えた便器用洗浄水タンク装置において、タンク装置の高さが低くジェット用洗浄タンクの断面積が広くなっても確実に所定の初期水位の洗浄水を供給することができる便器用洗浄水タンク装置を提供することを目的とする。
【課題を解決するための手段】
【０００７】
上記課題を解決するために、請求項１に記載の本発明は、ボウル部の底部に配設したジェット孔に洗浄水を供給するジェット用洗浄水タンクと、前記ジェット用洗浄水タンクの内側上方に配置されリム部に洗浄水を供給するリム用洗浄水タンクと、前記リム用洗浄水タンクの側面に配設されリム用洗浄水タンクのオーバーフロー水を受ける洗浄水サブタンクと、前記ジェット用洗浄水タンク内に配設したパイロット式ダイヤフラム弁を有するボールタップと、前記ボールタップから前記リム用洗浄水タンクに給水するための給水管路と、を備えた便器用洗浄水タンク装置であって、前記洗浄水サブタンクの下方位置で前記ジェット用洗浄水タンクの初期水位とほぼ同じ高さ位置に小穴を設け、前記リム用洗浄水タンクからオーバーフローした洗浄水と、前記小穴より流出した洗浄水を前記ジェット用洗浄水タンクに給水することを特徴とする。
【０００８】
上記のように構成された本発明においては、ボールタップのパイロット式ダイヤフラム弁のパイロット穴が不安定な状態で止水しても、洗浄水サブタンクの小穴からジェット用洗浄水タンクに遅れて水が供給されるため、パイロット穴が完全に止水するための水位上昇が得られることにより、ジェット用洗浄水タンクの断面積に影響を受けずタンク内の止水位が安定し、便器の洗浄に必要な洗浄水量を安定化することができる。
【０００９】
また、請求項２に記載の本発明は、ボウル部の底部に配設したジェット孔に洗浄水を供給するジェット用洗浄水タンクと、前記ジェット用洗浄水タンクの内側上方に配置されリム部に供給するリム用洗浄水タンクと、前記リム用洗浄水タンクの上部に配設した洗浄水サブタンクと、前記ジェット用洗浄水タンク内に配設したパイロット式ダイヤフラム弁を有するボールタップと、前記ボールタップから前記洗浄水サブタンクに給水するための給水管路と、を備えた便器用洗浄水タンク装置であって、前記ボールタップのフロートに排水穴を穿設した貯水部を設け、前記洗浄水サブタンクから前記リム用洗浄水タンクと前記貯水部に給水し、前記リム用洗浄水タンクからオーバーフローした洗浄水を前記ジェット用洗浄水タンクに給水し、ボールタップ止水後に前記フロートの貯留水を、前記排水穴から排出することを特徴とする。
【００１０】
上記のように構成された本発明においては、ボールタップのパイロット式ダイヤフラム弁のパイロット穴が不安定な状態で止水しても、フロート上部の洗浄水が遅れて排出されるため、フロートの浮力が上昇してパイロット穴が完全に止水し、ジェット用洗浄水タンクの断面積に影響を受けずタンク内の止水位が安定し、便器洗浄に必要な洗浄水量を安定化することができる。また、フロートの上部に溜める水量は比較的少量で済むため、パイロット式ダイヤフラム弁からの吐水流量に影響を受けにくい。
【発明の効果】
【００１１】
本発明によれば、リム部に給水するリム用洗浄水タンクと、ボール底部のジェット孔に給水するジェット用洗浄水タンクと備えた便器用洗浄水タンク装置において、ジェット用洗浄水タンクの断面積に影響を受けず、ジェット用洗浄水タンク内に規定の洗浄水を短時間に供給することができる。
また、ボールタップからの吐水流量に影響を受けずジェット用洗浄水タンク内に規定の洗浄水を供給することができる。
【発明を実施するための最良の形態】
【００１２】
以下、図面に基づいて本発明に係る便器用洗浄水タンク装置を説明する。
（第１の実施形態）
図１は本発明に係る第１実施形態の便器用洗浄水タンク装置Ｘの説明図である。便器用洗浄水タンク装置Ｘは、便器のジェット孔（図示しない）の洗浄水を供給するジェット用洗浄水タンク４、ジェット用洗浄水タンク４の内部上方部に配置し便器のリム吐水部に洗浄水を供給するリム用洗浄水タンク３、リム用洗浄水タンク３の側面に配設した洗浄水サブタンク１、ジェット用洗浄水タンク６の底部から立ち上げて配設した洗浄水を給水するパイロット式ダイヤフラム弁を有するボールタップ２を備えている。ジェット用洗浄水タンク４及びリム用洗浄水タンク３の底部には、夫々排水弁４ａ、３ａを配設している。また、洗浄水サブタンク１にはリム用洗浄水タンク３をオーバーフローした洗浄水が給水されるように構成している。そして、排水弁４ａ、３ａを引き上げて開弁操作を行なう洗浄操作部１８、ボールタップ２からの吐水される洗浄水をリム用洗浄水タンク３に供給する給水配管１３を備えている。６はジェット用洗浄水タンク４内の洗浄水の初期水位（ＷＬ）、７はジェット用洗浄水タンク４内の洗浄水が排水された後の止水位置（ＤＷＬ）、１４はボールタップ２のダイヤフラム弁が止水直後で、パイロット穴が完全閉止していない止水位である。
【００１３】
洗浄水サブタンク１は図２に示すように、ボールタップ２の止水位が安定するまでジェット用洗浄水タンク４内の水位を上昇させる洗浄水を確保する貯水容積を有している。即ち、ジェット用洗浄水タンク４内の不安定止水位１４と初期水位６との間に貯留される水量分を貯水する貯水容積を有している。そして、洗浄水サブタンク１の下方位置でジェット用洗浄水タンク４の初期水位６とほぼ同じ高さ位置に洗浄水サブタンク１内の洗浄水を排出するための小穴５を設けている。
【００１４】
次に、上記便器用洗浄水タンク装置Ｘの洗浄操作ついて説明する。
洗浄操作部１８を操作してリム用排水弁３ａ、ジェット用排水弁４ａを開弁操作すると、リム用洗浄水タンク３内の水位が低下していくと共に、ジェット用洗浄水タンク４の初期水位６が排水後の止水位７まで低下していく。
【００１５】
ジェット用洗浄水タンク４の初期水位６が排水後の止水位７まで低下すると、ボールタップ２のパイロット穴（図示しない）に連繋したフロート（図示しない）の浮力が低下してパイロット穴が開放されダイヤフラム弁（図示しない）が開弁して、給水配管１３を経て洗浄水が矢印Ａで示すようにリム用洗浄水タンク３に供給される。そして、リム用洗浄水タンク３からオーバーフローした洗浄水が矢印Ｂで示すように洗浄水サブタンク１に供給される。
【００１６】
洗浄水サブタンク１に流入した洗浄水は、小穴５からジェット用洗浄水タンク４に流入すると共に、矢印Ｃで示すようにオーバーフローしてジェット用洗浄水タンク４に流入する。
【００１７】
次に、ジェット用洗浄水タンク４の水位が不安定止水位１４まで上昇すると、ボールタップ２のパイロット穴が完全に閉止しない状態でダイヤフラム弁が閉じる。前記のようにパイロット穴が完全に閉止していない不安定な状態の間、ジェット用洗浄水タンク４の水位が初期水位６になるまで洗浄水サブタンク１内に貯留された小穴５からジェット用洗浄水タンク４内に排出される。そして、初期水位６まで上昇するとボールタップ２のフロート（図しない）の浮力がパイロット穴の閉止動作を完全にするまでに増加してパイロット穴からの漏水が停止する。
【００１８】
（第２の実施形態）
次に別の実施形態について説明する。
図３は本発明に係る第２実施形態の便器用洗浄水タンク装置Ｙの説明図で、図４は便器用洗浄水タンク装置Ｙを構成する洗浄水サブタンクの斜視図、図５は便器用洗浄水タンク装置Ｙを構成するボールタップの斜視図である。
【００１９】
便器用洗浄水タンクＹは、便器のジェット孔（図示しない）の洗浄水を供給するジェット用洗浄水タンク４、ジェット用洗浄水タンク４の内部上方部に配置し便器のリム吐水部に洗浄水を供給するリム用洗浄水タンク３、リム用洗浄水タンク３の上部に配設した洗浄水サブタンク８、ジェット用洗浄水タンク４の底部から立ち上げて配設した洗浄水を給水するパイロット式ダイヤフラム弁を有するボールタップ２０を備えている。ボールタップ２０はそのフロート１９の上部に貯水部９を一体に設け、貯水部９の底部に貫通した小穴１０を穿設している。また、ジェット用洗浄水タンク４及びリム用洗浄水タンク３の底部には夫々排水弁４ａ、３ａを配設している。
【００２０】
また、排水弁４ａ、３ａを引き上げて開弁操作を行なう洗浄操作部１８、ボールタップ２０からの吐水される洗浄水を洗浄水サブタンク８に供給する給水配管１６、洗浄水サブタンク８から貯水部９に洗浄水を供給する貯水部給水配管１７を備えている。
洗浄水サブタンク８は、リム用洗浄水タンク３の排水弁３ａに設けられた支持管１５に取り付けられており、給水配管１６と接続する給水ポートＤ、供給された洗浄水を貯溜する貯留部Ｆ、貯留部Ｆと連絡して貯水給水配管１７と接続する吐水ポートＧ、供給された洗浄水をリム用洗浄水タンク３内に自然流下させるための開口部Ｊを設けている。
そして、６はジェット洗浄水タンク４内の洗浄水の初期水位（ＷＬ）、７はジェット用洗浄水タンク４内の洗浄水が排水された後の止水位（ＤＷＬ）である。
【００２１】
次に、上記便器用洗浄水タンク装置Ｙの洗浄操作ついて説明する。
洗浄操作部１８を操作してリム用排水弁３ａ、ジェット用排水弁４ａを開弁操作すると、リム用洗浄水タンク３内の水位が低下していくと共に、ジェット用洗浄水タンク４の初期水位６が排水後の止水位７まで低下していく。
【００２２】
ジェット用洗浄水タンク４の初期水位６が排水後の止水位７まで低下すると、ボールタップ２０のパイロット穴（図示しない）に連繋したフロート１９の浮力が低下してパイロット穴が開放されダイヤフラム弁（図示しない）が開弁して、矢印で示すように、給水配管１６、給水ポートＤを経由して洗浄水サブタンク８に供給される。そして、洗浄水サブタンク８に供給された洗浄水の一部が貯留部Ｆから、吐水ポートＧ、貯水部給水配管１７を経由してボールタップ２０の貯水部９に流れ込み（矢印Ｍで示す）、洗浄水サブタンク８をオーバーフローした洗浄水（矢印Ｈで示す）が開口部Ｊからリム洗浄水タンク３内に流下して供給される。
【００２３】
そして、リム用洗浄水タンク３内の水位が上昇してオーバーフローした洗浄水がジェット用洗浄水タンク４内に流れこんで、ジェット用洗浄水タンク４内の水位が上昇していく。
【００２４】
。次に、ジェット用洗浄水タンク４の水位が初期水位６まで上昇すると、ボールタップ２０のパイロット穴が完全に閉止しない状態でダイヤフラム弁が閉じる。ダイヤフラム弁は閉止するが、パイロット穴が完全に閉止しない不安定な状態となる。前記のようにパイロット穴が完全に閉止していない状態で不安定な状態の間、貯水部９内の洗浄水が小穴１０からジェット用洗浄水タンク４内に洗浄水が排出されるとともに、フロート１９の浮力が増加してパイロット穴を完全に閉止する。
【００２５】
上記、第２の実施形態においては、ボールタップ２０から直接フロート１９上部の配設した貯水部９に洗浄水を供給せず、洗浄水サブタンク８に、洗浄水を貯留しボールタップ２０のフロート１９上部の配設した貯水部９に洗浄水を供給するので吐水流量に関係なく洗浄水が一定流量供給されることにより止水位が安定し、便器洗浄に必要な洗浄水量を安定化することができる。
【図面の簡単な説明】
【００２６】
【図１】本発明に係る第１実施形態で便器用洗浄水タンク装置の説明図
【図２】第１実施形態の便器用洗浄水タンクの斜視図
【図３】本発明に係る第２実施形態で便器用洗浄水タンク装置
【図４】第２実施形態の便器用洗浄水タンクの斜視図
【図５】第２実施形態のボールタップの斜視図
【符号の説明】
【００２７】
１、８…洗浄水サブタンク
２、２０…ボールタップ
３…リム用洗浄水タンク
４…ジェット用洗浄水タンク
５、１０…小穴
６…初期水位（ＷＬ）
７…排水後の止水位（ＤＷＬ）
９…貯水部
１３、１６…給水配管
１４…不安定止水位
１５…支持管
１７…貯水部給水配管
１８…洗浄操作部
１９…フロート
Ｘ、Ｙ…便器洗浄用タンク装置
Ｄ…給水ポート
Ｆ…貯留部
Ｇ…吐水ポート
Ｊ…開口部
【図１】
2006274540.tif 000003
【図２】
2006274540.tif 000004
【図３】
2006274540.tif 000005
【図４】
2006274540.tif 000006
【図５】
2006274540.tif 000007